(57)【要約】【課題】外観を損ねることなく部品点数を削減してコストダウンを図ることができる画像形成装置を提供すること。【解決手段】装置本体の前後をフロントカバーとリヤカバー、左右をサイドカバー、上部をトップカバーで覆って成るカラーレーザープリンタ（画像形成装置）において、前記リヤカバー７を板金で構成して本体フレーム３の左右の側板１５，１６のステーとして機能させるとともに、前記トップカバーの回動支点を前記リヤカバー７に設け、該回動支点を前記左右の側板１５，１６の内側に配置する。又、前記リヤカバー７を前記本体フレーム３の左右の側板１５，１６にビス止めするとともに、ビス部分を前記左右のサイドカバーで覆う。【選択図】図４
2009169073.tif 000002
【特許請求の範囲】
【請求項１】
装置本体の前後をフロントカバーとリヤカバー、左右をサイドカバー、上部をトップカバーで覆って成る画像形成装置において、
前記リヤカバーを板金で構成して本体フレームの左右の側板のステーとして機能させるとともに、前記トップカバーの回動支点を設け、該回動支点を前記左右の側板の内側に配置したことを特徴とする画像形成装置。
【請求項２】
前記リヤカバーを前記本体フレームの左右の側板にビス止めするとともに、ビス部分を前記左右のサイドカバーで覆ったことを特徴とする請求項１記載の画像形成装置。
【発明の詳細な説明】
【技術分野】
【０００１】
本発明は、装置本体の前後をフロントカバーとリヤカバー、左右をサイドカバー、上部をトップカバーで覆って成る画像形成装置に関するものである。
【背景技術】
【０００２】
電子写真方式によって用紙に画像を形成する複写機やプリンタ等の画像形成装置は、像担持体、帯電装置、現像装置、転写装置、定着装置等の各種プロセス機器が組み込まれた本体フレームの周囲を樹脂製の外装カバーで覆って構成されている。具体的には、本体フレームの周囲はフロントカバーと左右のサイドカバー及びリヤカバーで覆われ、上面はトップカバーによって覆われており、トップカバーの上面には排紙トレイが形成されている。
【特許文献１】特開平７−３２５４４４号公報
【特許文献２】特開２００７−２７９５６５号公報
【発明の開示】
【発明が解決しようとする課題】
【０００３】
ところで、斯かる画像形成装置のコストダウンを図るには部品点数の削減が最も有効であり、部品単価はもとより、組立作業に要する経費や間接費も削減することができる。
【０００４】
本発明は上記観点に基づいてなされたもので、その目的とする処は、外観を損ねることなく部品点数を削減してコストダウンを図ることができる画像形成装置を提供することにある。
【課題を解決するための手段】
【０００５】
上記目的を達成するため、請求項１記載の発明は、装置本体の前後をフロントカバーとリヤカバー、左右をサイドカバー、上部をトップカバーで覆って成る画像形成装置において、前記リヤカバーを板金で構成して本体フレームの左右の側板のステーとして機能させるとともに、前記トップカバーの回動支点を設け、該回動支点を前記左右の側板の内側に配置したことを特徴とする。
【０００６】
請求項２記載の発明は、請求項１記載の発明において、前記リヤカバーを前記本体フレームの左右の側板にビス止めするとともに、ビス部分を前記左右のサイドカバーで覆ったことを特徴とする。
【発明の効果】
【０００７】
請求項１記載の発明によれば、リヤカバーを板金で構成して左右のサイドカバーのステーとして機能させるようにしたため、リヤカバーが本体フレームの後側板を兼ねることとなり（或いは本体フレームの後側板がリヤカバーを兼ねることとなり）、部品点数が削減されてコストダウンが図られる。又、トップカバーの回動支点を板金で構成したリヤカバーに設けることによって、必要とする強度を確保することができる。それと共にトップカバーの回動支点を左右の側板の内側に配置したため、トップカバーの回動支点（ヒンジや軸）が左右のサイドカバーによって覆われて外部に露出しないため、外観性が高められる。
【０００８】
請求項２記載の発明によれば、板金製のリヤカバーを本体フレームの左右の側板にビス止めするとともに、ビス部分を左右のサイドカバーで覆うようにしたため、ビス部分が左右のサイドカバーによって隠されて外部に露出せず、これによって外観性が高められる。
【発明を実施するための最良の形態】
【０００９】
以下に本発明の実施の形態を添付図面に基づいて説明する。
【００１０】
図１は本発明に係る画像形成装置の斜視図、図２は同画像形成装置のトップカバーを開けた状態を示す斜視図、図３は同画像形成装置の本体フレームの斜視図、図４は同本体フレームにリヤカバーを取り付けた状態を示す斜視図、図５は同画像形成装置の本体部分の斜視図、図６は同本体部分の左右のサイドカバーを取り付ける前の状態を示す斜視図、図同側面図、図８は同正面図、図９は本体部分の左右のサイドカバーを取り付ける前のトップカバーを開けた状態を示す側面図、図１０は同正面図である。
【００１１】
図１及び図２に示す画像形成装置１は、カラーレーザープリンタであって、矩形ボックス状の装置本体２を備えており、この装置本体２の内部には、図３及び図４に示すように、本体フレーム３に組み込まれた感光ドラム、帯電器、現像装置、転写装置、定着装置等の各種プロセス機器（何れも不図示）が内蔵されている。そして、装置本体２の前面は、開閉可能なフロントカバー４で覆われ、左右はサイドカバー５，６で覆われ、後面はリヤカバー７で覆われ、上面はトップカバー８によってそれぞれ覆われている。
【００１２】
上記フロントカバー４の上面には操作表示部９が設けられており、前記トップカバー８は、図２に示すように、その後端を中心として上方へ回動して開けられ、この状態で不図示のトナーコンテナや現像ユニット等を装置本体２に対して着脱することができる。尚、トップカバー８の上面は排紙トレイ１０を構成している。
【００１３】
ところで、図３及び図４に示す本体フレーム３は板金のプレス成形品であって、そのベース１１上には、前面が開口する矩形ボックス状のカセット装着部１２が形成され、このカセット装着部１２に不図示の給紙カセットが前面側から出し入れ可能に装着されている。又、本体フレーム３のカセット装着部１２の上方には、水平な中間ベース１３と、この中間ベース１３の前側と左右に垂直に立設された前側板１４及び左右の側板１５，１６が配置されている。
【００１４】
而して、前記フロントカバー４とサイドカバー５，６及びトップカバー８は樹脂にて構成されているが、本実施の形態は、前記リヤカバー７を板金で構成して本体フレーム３の左右の側板１５，１６のステーとして機能させるとともに、トップカバー８の回動支点を前記リヤカバー７に設け、この回動支点を左右の側板１５，１６の内側に配置したことを特徴としている。
【００１５】
即ち、図４に示すように、板金製のリヤカバー７は、その左右フランジ部７ａと下フランジ部７ｂにはビス孔１７が形成されており、これらのビス孔１７に挿通する不図示のビスを本体フレーム３の中間ベース１３と左右の側板１５，１６の後端面に形成されたねじ孔１８（図３参照）にねじ込むことによって該リヤカバー７が本体フレーム３に取り付けられる。
【００１６】
又、図４に示すように、リヤカバー７の左右の上端には、前方に向かって直角に取り曲げられたブラケット７Ａが形成されており、各ブラケット７Ａには円孔１９が形成されている。そして、リヤカバー７の左右のブラケット７Ａには、図６〜図１０に示すように、トップカバー８の後端部の左右がヒンジ２０とこれに挿通する軸２１によって上下に回動可能に支持されており、前述のように装置本体２に対してトナーコンテナや現像ユニットを着脱する際には、図９及び図１０に示すように、トップカバー８が軸２１を中心として上方に回動されて開かれる。
【００１７】
上述のように、本体フレーム３にリヤカバー７を取り付け、このリヤカバー７にトップカバー８を回動可能に取り付けると、次に左右のサイドカバー５，６が本体フレーム３に取り付けられるが、前述のようにトップカバー８の回動支点である軸２１を左右の側板１５，１６の内側に配置したため、トップカバー８の回動支点（ヒンジ２０や軸２１）が左右のサイドカバー５，６によって覆われて外部に露出せず、従って、当該カラーレーザープリンタ１の外観性が高められる。
【００１８】
又、板金製のリヤカバー７を本体フレーム３の左右の側板１５，１６にビス止めするとともに、ビス部分を左右のサイドカバー５，６で覆うようにしたため、ビス部分が左右のサイドカバー５，６によって隠されて外部に露出せず、これによっても当該カラーレーザープリンタ１の外観性が高められる。
【００１９】
而して、本実施の形態では、リヤカバー７を板金で構成して左右のサイドカバー５，６のステーとして機能させるようにしたため、リヤカバー７が本体フレーム３の後側板を兼ねることとなり（或いは本体フレーム２の後側板がリヤカバー７を兼ねることとなり）、部品点数が削減されてコストダウンが図られるという効果が得られる。
【００２０】
尚、以上は本発明をカラーレーザープリンタに適用した形態について説明したが、本発明は、モノクロのプリンタの他、複写機やファクシミリ等の他の任意の画像形成装置に対しても同様に適用可能であることは勿論である。
【図面の簡単な説明】
【００２１】
【図１】本発明に係る画像形成装置の斜視図である。
【図２】本発明に係る画像形成装置のトップカバーを開けた状態を示す斜視図である。
【図３】本発明に係る画像形成装置の本体フレームの斜視図である。
【図４】本発明に係る画像形成装置の本体フレームにリヤカバーを取り付けた状態を示す斜視図である。
【図５】本発明に係る画像形成装置の本体部分の斜視図である。
【図６】本発明に係る画像形成装置の本体部分の左右のサイドカバーを取り付ける前の状態を示す斜視図である。
【図７】本発明に係る画像形成装置の本体部分の左右のサイドカバーを取り付ける前の状態を示す側面図である。
【図８】本発明に係る画像形成装置の本体部分の左右のサイドカバーを取り付ける前の状態を示す正面図である。
【図９】本発明に係る画像形成装置の本体部分の左右のサイドカバーを取り付ける前のトップカバーを開けた状態を示す側面図である。
【図１０】本発明に係る画像形成装置の本体部分の左右のサイドカバーを取り付ける前のトップカバーを開けた状態を示す正面図である。
【符号の説明】
【００２２】
１          カラーレーザープリンタ（画像形成装置）
２          装置本体
３          本体フレーム
４          フロントカバー
５，６      サイドカバー
７          リヤカバー
７Ａ        リヤカバーのブラケット
７ａ        リヤカバーの左右フランジ部
７ｂ        リヤカバーの下フランジ部
８          トップカバー
９          操作表示部
１０        排紙トレイ
１１        本体フレームのベース
１２        本体フレームのカセット装着部
１３        本体フレームの中間ベース
１４        本体フレームの前側板
１５，１６  本体フレームの左右側板
１７        ビス孔
１８        ねじ孔
１９        円孔
２０        ヒンジ
２１        軸
【図１】
2009169073.tif 000003
【図２】
2009169073.tif 000004
【図３】
2009169073.tif 000005
【図４】
2009169073.tif 000006
【図５】
2009169073.tif 000007
【図６】
2009169073.tif 000008
【図７】
2009169073.tif 000009
【図８】
2009169073.tif 000010
【図９】
2009169073.tif 000011
【図１０】
2009169073.tif 000012